(57)【要約】【課題】  地面から沸き出した水を確実に採取して蓄えることができ、且つ必要に応じて容易に使用することができる簡易取水装置及び、その簡易取水装置を使用して地面からの湧水を取水する方法を提供することを目的とする。【解決手段】  簡易取水装置１は、底面５に開口６を設けた水槽２と、当該水槽２の底面５と地面１０との間に前記開口６を取り囲んで環状に設けられた水膨潤性樹脂９とよりなっている。この簡易取水装置１を、地面１０の湧水箇所１１を取り囲んで水膨潤性樹脂９を配置し、その水膨潤性樹脂９の上に湧水箇所１１の直上に開口６が位置するように水槽２を載置して設置し、湧水を採取する。【選択図】          図１
2008115634.tif 000002
【特許請求の範囲】
【請求項１】
底面（５）に開口（６）を設けた水槽（２）と、当該水槽（２）の底面（５）と地面（１０）との間に前記開口（６）を取り囲んで環状に設けられた水膨潤性樹脂（９）とよりなることを特徴とする、簡易取水装置
【請求項２】
前記水槽が、繊維で補強された柔軟なシートよりなる周壁（４）及び底面（５）よりなる自立式簡易水槽（２）であることを特徴とする、請求項１に記載の簡易取水装置
【請求項３】
通水性の保持シート（７）を重ね合わせ、その保持シート（７）同士をその中央部及び周縁部において接着して環状の空所（８）を形成し、その環状の空所（８）内に粉末状の水膨潤性樹脂（９）を封入してなる取水材（３）を、前記水槽（２）の底面（５）と地面（１０）との間に設けたことを特徴とする、請求項１又は２に記載の簡易取水装置
【請求項４】
前記請求項１、２又は３に記載の簡易取水装置（１）を、地面（１０）の湧水箇所（１１）を取り囲んで水膨潤性樹脂（９）を配置し、その水膨潤性樹脂（９）の上に湧水箇所（１１）の直上に開口（６）が位置するように水槽（２）を載置して、設置することを特徴とする、湧水取水方法
【発明の詳細な説明】
【技術分野】
【０００１】
本発明は簡易取水装置に関するものであって、地震などの災害により地下の水道管が破裂するなどの事態が生じたときに、地表面に湧き出た水を簡便に採取して貯水し、消火用水や生活雑水として利用し得るようにする取水装置に関するものである。
【背景技術】
【０００２】
従来から、災害時などに水を蓄える水槽としては種々のものが提案されているが、そのいずれもが、水槽の上部から水を供給して蓄え、上部又は側面から水を排出して使用に供するものである。そして水槽に水を蓄えるためには外部からポンプで給水するが、災害時にはポンプの動力が利用できないことも少なくなく、水を確保すること自体が困難である。またバケツリレーなどの人力により水を供給するのは効率が悪い。
【０００３】
また一方、災害時には地下に埋設された水道管が破裂し、地表面に水が湧き出すことが少なくないが、その水は利用不能のものとしてそのまま廃棄されることが多く、災害による水不足の一方でかかる水を廃棄することは勿体ないことである。
【０００４】
かかる観点から、特開平１０−１２１５２４号公報には、地表面に湧き出した水を採取して貯水し、初期消火用水や生活雑水としての利用に供することを可能とする簡易水槽が示されている。このものは底面に開口部を設けた水槽であって、その開口部を湧水箇所に合わせて設置することにより、湧き出た水が開口部から水槽内に流入して蓄えられるとするものである。
【０００５】
しかしながらかかる簡易水槽では、水槽の底面と湧水箇所の周囲の地面とが密着していなければ、湧き出した水は簡易水槽に溜まることなく周囲に流出し、また一旦簡易水槽内に入った水も容易に開口部から流出してしまう。
【０００６】
また当該公報には、水槽底面の開口部の周囲に浮き上がり防止材を設けることも記載されているが、当該浮き上がり防止材により水槽底面と地面とを水密に密着させることは、極めて困難である。
【０００７】
さらに前記公報によれば、浮き上がり防止材の形状、寸法、材質などは必要によりかわるものであるとされているが、その使用状況に応じて種々の形状、寸法、材質のものを取り揃えておくことは現実的でない。また当該浮き上がり防止材を軟質の材料とすることも示されているが、地面の凹凸が激しいときにはほとんど効果はない。
【特許文献１】特開平１０−１２１５２４号公報
【発明の開示】
【発明が解決しようとする課題】
【０００８】
本発明はかかる事情に鑑みなされたものであって、地面から沸き出した水を確実に採取して蓄えることができ、且つ必要に応じて容易に使用することができる簡易取水装置及び、その簡易取水装置を使用して地面からの湧水を取水する方法を提供することを目的とするものである。
【課題を解決するための手段】
【０００９】
而して本発明の簡易取水装置は、底面に開口を設けた水槽と、当該水槽の底面と地面との間に前記開口を取り囲んで環状に設けられた水膨潤性樹脂とよりなることを特徴とするものである。前記水槽は、繊維で補強された柔軟なシートよりなる周壁及び底面よりなる自立式簡易水槽であることが好ましい。
【００１０】
また本発明においては、通水性の保持シートを重ね合わせ、その保持シート同士をその中央部及び周縁部において接着して環状の空所を形成し、その環状の空所内に粉末状の水膨潤性樹脂を封入してなる取水材を、前記水槽の底面と地面との間に設けることが好ましい。
【００１１】
また本発明の湧水取水方法は、前記簡易取水装置を、地面の湧水箇所を取り囲んで水膨潤性樹脂を配置し、その水膨潤性樹脂の上に湧水箇所の直上に開口が位置するように水槽を載置して、設置することを特徴とするものである。
【発明の効果】
【００１２】
本発明によれば、容器をその開口を湧水箇所に合わせて設置すると、当該容器の開口を取り囲んで設けられた水膨潤性樹脂が湧き出した水に触れて、膨潤して大幅に体積を増大させ、地面及び開口の周囲の容器底面に密着する。
【００１３】
この状態でさらに水が湧き出すと、その湧水箇所の周囲の地面と容器底面との間は、膨潤した水膨潤性樹脂で完全に塞がれているため、湧水圧力により水は開口から容器内に流入し、効率良く容器に蓄えられるのである。
【００１４】
請求項２の発明によれば、前記容器が繊維で補強された柔軟なシートよりなる周壁及び底面よりなる自立式簡易水槽であるので、不使用時にはコンパクトに畳んで収納することができ、運搬や収納にスペースを要しない。
【００１５】
また請求項３の発明によれば、水膨潤性樹脂の粉末を環状に封入した取水材を、湧水箇所の上に載置し、その上に水槽を載置するので、水膨潤性樹脂を所定の位置に容易に配置することができ、作業効率が良い。また取水材のみを交換することにより、水槽を容易に再利用することができる。
【発明を実施するための最良の形態】
【００１６】
以下本発明の実施の形態を図面に従って説明する。図１は本発明の簡易取水装置１を示すものであって、この簡易取水装置１は自立式簡易水槽２と水膨潤性樹脂を封入した取水材３とよりなっている。
【００１７】
自立式簡易水槽２は、略円筒形の周壁４及び底面５が繊維で補強された柔軟なシートよりなっており、その底面５の中央部には開口６が形成されている。自立式簡易水槽２の直径は５０〜５００cm、高さは３０〜２００cmが適当である。開口６の大きさは、自立式簡易水槽２の大きさにもよるが、自立式簡易水槽２の直径の１０〜５０％であって、直径３０〜１００cmとするのが適当である。
【００１８】
取水材３は図２に示すように、通水性の紙、織布又は不織布よりなる略円形の保持シート７を二枚重ね合わせ、その保持シート７の中央部及び周縁部において両保持シート７を接着して環状の空所８を形成し、当該環状の空所８内に粉末状の水膨潤性樹脂９を封入したものである。
【００１９】
而してこの簡易取水装置１を使用するときは、地面１０の湧水箇所１１に、その湧水箇所１１を前記水膨潤性樹脂９が取り囲むように取水材３を載置し、さらにその取水材３の上に、前記湧水箇所１１の直上に開口６が位置するように載置する。その状態が図１に示されている。
【００２０】
なおこのとき、図１においては自立式簡易水槽２の周壁４は最初から直立したように描かれているが、必ずしもかかる状態であることは要しない。自立式簡易水槽２は柔軟なシートよりなるので、周壁４は自重により潰れた状態となっていることが多いが、自立式簡易水槽２内に水が入ることにより周壁４は水圧によって押し拡げられ、自然に直立して内部に水を蓄えることができる。
【００２１】
しかして図１の状態において湧水箇所１１から水が湧き出ると、その水は先ず取水材３に滲み込み、その取水材３内の水膨潤性樹脂９を濡らし、その水によって水膨潤性樹脂９は膨潤して急速に且つ大幅にその体積を増し、その増した体積により自立式簡易水槽２の底面５を押上げ、水膨潤性樹脂９は保持シート７を介して地面１０及び自立式簡易水槽２の底面５に密着する。この状態が図３に示されている。
【００２２】
この状態でさらに湧水箇所１１から水が湧き出ると、その水１２は膨潤した水膨潤性樹脂９に取り囲まれているので、それを越えて周囲に流れ出ることはなく、通水性の保持シート７を通して上昇し、開口６から自立式簡易水槽２内に流入して蓄えられる。この状態が図４に示されている。
【００２３】
このとき、自立式簡易水槽２の周壁４が前述のように設置当初は自重により押し潰されていたとしても、流入した水１２の圧力によって周壁４は円筒状に押し拡げられ、自然に直立して自立式簡易水槽２は円筒状の容器形状を形成する。
【００２４】
また自立式簡易水槽２内に流入した水１２は、流入時に環状の水膨潤性樹脂９に取り囲まれた保持シート７の中央部を通過しているので、水中に砂などの異物が混入していても、保持シート７に濾過されて清浄な水が蓄えられる。
【００２５】
従って地震などの災害時に地下の水道管が破裂するなどして地面に水が湧き出したときには、その水を廃棄することなく採取して利用することが可能であり、破裂した水道管が補修されるまでの一時的なものではあっても、災害による水不足のときに、初期消火や生活雑水として有効に利用することができるのである。
【００２６】
なお本発明における水槽は、収納や運搬の便を考慮すれば自立式簡易水槽であることが好ましいが、必ずしも自立式簡易水槽であることを要しない。金属やプラスチックなどの剛直な材料よりなる水槽を使用することも可能である。例えば水膨潤性樹脂９の手配ができるならば、ドラム缶などの容器の底に開口６を形成し、その下に水膨潤性樹脂９を配置することにより簡便に本願発明を適用することもできる。
【００２７】
また本願発明において水膨潤性樹脂９を設けるのに、先の例のように環状に水膨潤性樹脂９を封入した取水材３を使用するのが好ましいが、本願発明はこれに限定されるものではない。例えば湧水箇所１１を取り囲んで地面１０に粉末状の水膨潤性樹脂９を環状に振り撒き、その上に開口６を形成した水槽を載置することにより、簡便に本願発明を適用することも可能である。
【産業上の利用可能性】
【００２８】
本願発明は、災害時に破裂した水道管などから湧き出した水を採取して、初期消火や生活雑水として利用するのに適しているが、本願発明の利用分野はこれに限られるものではない。不都合な箇所からの湧水を一時的に蓄えて、安全に排水するための貯水装置としても有用である。
【００２９】
さらには、豪雨などに際しての水防手段としての釜段工法に使用することもできる。すなわち、堤防の川裏側に堤防を潜って水が漏出している場合に、その漏水箇所に本願発明の装置を設置することにより、漏水を水槽内に流入させて蓄えることにより川の水面との水位差を少なくし、漏水を抑制すると共に土砂の流出による堤防の決壊を防止することができるのであって、多量の土嚢と人手を要する従来の釜段工法に比べて、極めて簡単な作業で同様の効果を期待することができる。
【図面の簡単な説明】
【００３０】
【図１】本発明の簡易取水装置を設置した状態を示す中央縦断面図
【図２】本発明における取水材を示すものであって、（ａ）は斜視図、（ｂ）は（ａ）におけるＢ−Ｂ部の拡大断面図である。
【図３】本発明の簡易取水装置の水膨潤性樹脂が膨潤した状態を示す中央縦断面図
【図４】本発明の簡易取水装置に水が蓄えられた状態を示す中央縦断面図
【符号の説明】
【００３１】
１  簡易取水装置
２  自立式簡易水槽
３  取水材
４  周壁
５  底面
６  開口
７  保持シート
８  環状の空所
９  水膨潤性樹脂
１０  地面
１１  湧水箇所
【図１】
2008115634.tif 000003
【図２】
2008115634.tif 000004
【図３】
2008115634.tif 000005
【図４】
2008115634.tif 000006